(57)【要約】施錠装置（１）は、扉ラッチ機構の為に提供されるものであり、その扉ラッチ機構のラッチ軸は、バネで付勢されたラッチ位置から当該ラッチ機構のラッチボルトを後退させるために回転可能である。そして、この施錠装置は、前記ラッチ軸の隣接端を嵌め込むための溝が設けられた通路（２４）を有するレバーハンドル（５）を備えている。前記通路により、前記ハンドルは、前記ラッチ軸に対して、所定の移動角度で反対方向に回転できる。この移動角度の一端において、前記ハンドルは水平の静止状態にあり、前記ラッチボルトをそのラッチ位置から後退させるために所定方向に前記軸を回転させるために前記ラッチ軸に係合可能である。そして、その移動角度の他端において、前記ハンドルは持ち上げられた係止位置にあり、開扉方向に回転しないように前記軸に係合可能である。前記ハンドルにスライド可能に取り付けられ、トリガー部（３０）により制御される係止部材（２７）は、前記ハンドルのレバー部（８）の後方に延び、係止位置においては、前記レバーハンドルの回転方向により、２つの保持孔（３３、３４）のうち一方に嵌合する。
2005533205.tif 000002
【特許請求の範囲】
【請求項１】
ラッチ機構のラッチボルトをそのラッチ位置から移動させるためにラッチ軸が回転可能であるラッチ機構のための施錠装置（１）であって、
前記ラッチ軸の隣接端に嵌め込むための駆動通路（２４）をその内部に有する回転可能なハンドル（５）と、
前記ハンドルに取り付けられ、且つ前記ハンドルが回転しないように固定するために保持手段（３３、３４）に係合可能である係止部材（２７）とを備え、
前記駆動通路（２４）が、前記ハンドル（５）が前記ラッチ軸に対して所定の移動角度により対向する方向に回転できるように形成され、
前記ラッチ軸の一端において、前記ハンドルが、前記ラッチ位置から前記ラッチボルトを移動させるための開扉方向に、前記ラッチ軸を回転させるために当該ラッチ軸に係合可能であり、
前記ラッチ軸の他端において、前記ハンドルが係止位置にあり、当該係止位置において前記係止部材（２７）が前記保持手段（３３、３４）に係合可能であり、前記ハンドルが、前記開扉方向においてその後方の回転を制止するために、前記軸に係合可能であることを特徴とする施錠装置。
【請求項２】
前記係止部材（２７）が、前記ハンドル（５）にスライド可能に取り付けられ、前記保持手段（３３、３４）に係合及び前記保持手段（３３、３４）から取り外されるように選択的に制御可能である請求項１記載の施錠装置。
【請求項３】
前記係止部材（２７）が、人が前記ハンドルを握ることによって行う手動操作しやすい位置において、前記ハンドルの近傍に突出している制御手段（３０）を有し、さらに、前記係止部材（２７）が、前記保持手段（３３、３４）に係合可能な位置に弾性的に付勢される請求項２記載の施錠装置。
【請求項４】
前記ハンドルが静止位置から開扉方向に回転されるときの、前記係止部材（２７）の移動の円弧を定める案内手段（２８）を備えている請求項１、２又は３記載の施錠装置。
【請求項５】
駆動通路（２４）によって定められた前記移動角度の前記一端に一致する静止位置に前記ハンドル（５）を傾斜させるバネ手段を有し、
前記案内手段（２８）が、前記静止位置を定めるために前記係止部材（２７）により係合可能な留め部を有し、
前記保持手段（３３、３４）が、前記ハンドルが前記ラッチ軸を開扉方向に回転するために、前記静止位置から回転可能な位置とは対向する位置において、前記留め部に対し間隔を空けて配置されている請求項４記載の施錠装置。
【請求項６】
前記保持手段が、係止位置にハンドルを固定するために前記係止部材（２７）の突出端が係合可能である孔（３３、３４）であり、
前記案内手段が、アーチ状の溝（２８）の形をなし、ハンドルが静止位置からラッチ軸の開扉方向に回転された場合、当該溝に沿って係止部材（２７）の突出端が移動し、
前記ハンドルの静止位置を定める前記留め部が、前記保持手段に隣接した前記アーチ状の溝の一端により形成されるものである請求項５記載の施錠装置。
【請求項７】
前記ハンドルが、レバーアーム（８）の形状をなし、前記ハンドルの静止位置において、当該レバーアーム（８）が実質的に水平であり、
前記保持手段が、係止部材（２７）の移動の円弧近傍に、且つ前記静止位置を決める前記留め部上方において、略４５度から６０度程度の間隔をおいた位置に配置され、そして、前記レバーアームが、前記係止部材がその係止位置において前記保持手段（３３、３４）に係合し、前記ハンドルが係止位置で固定されるために持ち上げられるものである請求項５又は６記載の施錠装置。
【請求項８】
前記案内手段（２８）が、当該案内手段の向かい合う端に停止位置及び静止位置を規定する半円形状をなし、
前記保持手段（３３、３４）が、前記案内手段の向かい合う端の近傍に２つ形成され、
前記ハンドル（５）が、前記ハンドルを静止位置から回転させ、前記ラッチ軸を開扉方向に動かすために、時計回りあるいは反時計回りのいずれか一方を規定するために係合される請求項５、６又は７記載の施錠装置。
【請求項９】
前記ハンドル（５）が、ラッチ機構を有する扉に取付可能な基板（２）に回転可能に取り付けられており、
前記基板はまた、保持手段（３３、３４）及び施錠装置のその他の構成要素を備えている請求項１乃至８記載の施錠装置。
【請求項１０】
前記ハンドル（５）の前記駆動通路（２４）は、軸線方向に溝が設けられ、等間隔に配置されたリブ及び溝（２５、２６）からなる内部断面を有しており、
前記リブ及び溝が、前記駆動通路の内周面において対照的に配置され、前記ハンドルがラッチ軸に係合した場合、前記ラッチ軸に対して所定の回転自由度を有するように配置されている請求項１乃至９記載の施錠装置。
【請求項１１】
前記各溝（２６）の底周辺が、断面において、円弧形状をなし、当該円弧形状が、前記ラッチ軸の隣接端の方形断面の対角線の長さに実質的に一致する径を有することにより、前記ハンドル（５）が、前記リブ（２５）が前記方形断面のラッチ軸に係合する位置である向かい合う端において、前記ラッチ軸に対して、前記所定の移動角度を経て対向する方向に回転できる請求項１０記載の施錠装置。
【請求項１２】
前記ラッチ軸の前記施錠装置（１）に係合している端と反対の端に係合するために、内部に１つの通路（４２）を有するハンドル（５）を組み合わせている請求項１乃至１１記載の施錠装置。
【請求項１３】
２つの部分からなるラッチ軸（５０）を有し、
前記ラッチ軸の各部材（５１、５２）は、方形断面からなり、前記ハンドル（５）が、回転の反対方向に働くために選択されるときに、前記施錠装置（１）の駆動通路（２４）の相対的な位置の変化を調節するために、その一方は、他方に対して捩られている請求項１２記載の施錠装置。
【請求項１４】
ラッチ軸の回転に伴ってラッチ位置から解除位置に移動可能であるラッチボルトを有するラッチ機構であって、前記ラッチボルトの隣接端を嵌め込む回転可能なハンドル（５）の前記駆動通路（２４）を有する請求項１乃至１３いずれか１つに記載の施錠装置（１）。
【請求項１５】
ラッチ機構のラッチボルトをそのラッチ位置から移動させるためにラッチ軸が回転可能であるラッチ機構のための施錠装置であって、
ラッチ軸を回転させ、該ラッチ軸の隣接端に固定するために回転可能なハンドル（５）と、
前記ハンドルに取り付けられ、前記ハンドルの係止位置において、前記ハンドル、さらには前記ラッチ軸が回転しないようにするために、協働する保持手段（３３、３４）に係合可能な係止部材（２７）とを備え、
施錠されていない位置において、ハンドルを静止位置から回転させると、前記係止部材（２７）が案内手段（２８）に係合可能であり、
前記案内手段が前記係止位置から離間して配置され、
ハンドルがその静止位置から係止位置に回転され、前記係止部材が前記保持手段に係合可能であり、ラッチボルトがそのラッチ位置から移動し、係止部材を操作するために操作手段を操作する目的で動かすため、前記係止部材の円弧運動の範囲を定めるものであることを特徴とする操作装置。
【発明の詳細な説明】
【技術分野】
【０００１】
本発明は扉、門、窓、あるいはその他の締切り部材（以下、単に扉という。）を閉塞位置で扉にラッチするラッチ機構とともに使用される施錠装置に関するものである。特に、本発明に係る施錠装置は、扉のいずれか片側に設けたハンドルを回転させることにより解除され扉を開けることができるラッチ機構とともに使用するために、設計されたものである。
【背景技術】
【０００２】
扉のラッチ機構は、一般的にバネ式ラッチボルトから構成され、このバネ式ラッチボルトは当該ラッチ機構から突出部、つまりラッチ位置向かって弾圧付勢されるものである。そして、ラッチ位置において、前記ラッチボルトは保持手段又はキャッチに係合可能であり、閉塞位置において隣接した扉枠に引っ掛かり扉をラッチ止めする。ラッチボルトは方形断面のラッチ軸あるいはバーの回転させ、扉を開けるために後退する。このラッチ軸あるいはバーは、ラッチ機構及び扉の両側から突出しており、ラッチ軸の両端を嵌め込むハンドルによって回転される。ハンドルはノブあるいはレバーアームであっても構わない。このようなラッチ機構を有する扉が、そのラッチ位置で施錠されている場合には、通常、扉は鍵により操作される別個のボルトを組み込んでいる。あるいは、そのラッチ機構は、中央部の押しボタンあるいは回転ボタンで操作する一般の施錠装置を有する、１つ又は両方のラッチハンドルに取り付けられる。あるいはＷＯ−００／７１８４１又はＷＯ−０２／７２９８５に記載されているように、扉ハンドルの回転運動によって操作される施錠装置自体に取り付けても良い。
【０００３】
ＧＢ−Ａ−２  ２８２６３２に記載されている別種の扉施錠装置においては、その施錠装置はＬ字型の係止部材を備えている。この係止部材はハンドル内部に設置されており、ハンドルには軸の隣接端に嵌め込むための方形断面の駆動ソケットを備えられている。Ｌ字型部材の一方のリム部は、ハンドルから突出する１つのヘッドを有している。これは、ハンドルを基板に固定し、ハンドルと基板との間で互いに回転できないように、ハンドルに取り付けた基板にある凹部に回転可能に嵌合させるためのものである。前記係止部材の他方のリム部は、ハンドルのレバーアームの下面に沿って突出し、トリガー部として機能する。そしてこのトリガー部は、アームが握られると第一リム部がレバーアーム内にスライドされ、施錠装置が解除され基板に対し回転するように操作できる。
【発明の開示】
【発明が解決しようとする課題】
【０００４】
本発明の目的は、扉ラッチ機構とともに使用するための改良型施錠装置を提供することである。より具体的には、ラッチ機構が、扉の片側からラッチ位置において係止され、扉の反対側からのハンドルの回転によって開扉できないようにすることを目的とするものである。
【課題を解決するための手段】
【０００５】
本発明は、ラッチ機構のラッチボルトをそのラッチ位置から移動させるべく、ラッチ軸が回転可能であるラッチ機構のための施錠装置であって、前記施錠装置が、ラッチ軸の隣接端に嵌め込むための通路をその内部に有する回転可能なハンドルからなり、その通路とは、前記ハンドルが前記ラッチ軸に対して、所定の円弧運動を経て反対側に回転させるものである。ここで、移動円弧の一端において前記ハンドルは静止位置にあり、かつ前記軸を所定方向に回転させラッチボルトをそのラッチ位置から移動させるために、前記ハンドルはラッチ軸に係合可能である。また他端においては、前記ハンドルは係止位置にあり、前述の方向に回転できなくするようにその軸に係合可能である。さらに、前記ハンドルに載置され、ハンドルの前記係止位置において協働する保持手段と係合可能である。
【０００６】
本発明にかかる施錠装置は、使用時にあたっては、扉の片側（通常は内側）に設置され、ラッチ機構のラッチ軸の隣接端を嵌め込むハンドルの駆動通路とともに用いられる。このラッチ機構は汎用のバネ式ラッチであっても良い。扉の反対側（外側）においては、ラッチ軸の他端は、ラッチ軸のその端に固定されている通常の扉ハンドルに嵌め込まれる。従来のものと同様、扉ハンドルのいずれか一方は、開扉方向にラッチ軸が回転し、それによってラッチボルトがそのラッチ位置から後退し、扉が開くように操作される。しかしながら、外側からの入室を防ぐために内側で施錠される場合は、施錠装置のハンドルは静止位置から係止位置に回転され、係止部材は協働する保持手段に係合するように操作される。これにより、内側のハンドルは、外側のハンドルによって開扉方向にラッチ軸が回転すること、及びそれによるラッチボルトの後退を阻止できる。外側から入室できるように扉を解錠するには、係止部材は協働する保持手段との係合が解除され、施錠装置のハンドルはその静止位置に戻される。
【０００７】
前記係止部材は、前記ハンドルにスライド可能に取付られるものであり、前記保持手段に係合及び前記保持手段から取り外されるように選択的に制御される。前記係止部材は、人間が前記ハンドルを握ることによる手動操作しやすい位置に、前記ハンドル近傍に突出する制御手段を備えていても良い。さらには、スライド可能な係止部材が、前記保持手段に係合する突出位置に弾圧付勢されることが望ましい。
【０００８】
前記施錠装置が、前述の連繋されたハンドルがその静止位置から開扉方向に回転される場合、前記係止部材の突出端の円弧運動を定める円弧形状案内手段を備えていても良い。従来のラッチ機構のバネ式ラッチボルトは、施錠装置のハンドルを前記静止位置に向かって傾けるよう機能するものである。その代わりに、あるいは加えて、施錠装置それ自体がハンドルを静止位置に戻し、その静止位置に保持するバネ手段を備えていても良い。前記係止部材の円弧運動を定める前記案内手段は、例えば、ハンドルの静止位置を定める係止部材の突出端に係合可能な留め部を備えていても良い。前記保持手段は、前記ハンドルを回転しないように固定するために前記係止部材が係合されるものであり、係止部材がハンドルを回転させないように係止するために係合する保持手段は、ハンドルが回転しラッチボルトを後退させる方向とは逆側に、留め部に対し離間して配置されている。その結果、前記ハンドルが前記係止位置にあるときには、そのことが明らかである。
【０００９】
好ましくは、前記保持手段は、前記ハンドルをロックするために、また、開扉方向に回転しないようにラッチ軸をロックするために、前記スライド可能な係止部材に嵌合可能な孔であることが望ましい。そして、留め部はアーチ状の溝の一端により定められ、施錠装置が解錠状態にありハンドルがラッチボルトを後退させるべく回転可能であるとき、係止部材の突出端はその溝に沿って移動する。
【００１０】
ある好ましい実施態様として、前記施錠装置のハンドルがレバーアームの形状をしており、前記施錠装置が静止位置にあるときに実質的に水平であることが望ましい。前記保持手段が、係止部材が移動する円弧の近傍に、前記静止位置を定める留め部上方に配置されている。例えば、前記留め部の上方に、約４５度から６０度程度の間隔を置いた位置である。そして、前記レバーハンドルが、係止部材が協働する保持手段に嵌合し、ハンドルが回転しないようにロックするために持ち上げられる。このような配置により、前記施錠装置が施錠状態にあるときには、そのことが明らかにわかる。
【００１１】
さらに、前記ハンドルが、扉に固定される基板上に回転可能に取り付けられており、その基板が、保持手段、可能なら前記留め部と前記係止部材と協働するその他の部材とを具備していることが好ましい。あるいは、前記保持手段及び前記留め部が、前記ハンドルの回転軸を通った実質的な垂直面の両側の対称位置に形成されていることが好ましい。その結果、施錠装置は、前記ラッチボルトを後退させるために、いずれかの方向に選択的に前記ハンドルの回転を調節する。
【００１２】
さらにある好ましい実施の態様としては、ラッチ軸を嵌め込む施錠装置のハンドル内に設けられた駆動通路の表面には、軸方向に溝が設けられ、その内部断面は、等間隔に離間し配置された軸方向のリブ部及び溝を有しているものである。各溝の底部は、断面において、係合するラッチ軸の断面の対角線の長さに実質的に一致する径のアーチ形の外周ををなすものである。
【００１３】
変形としては、例えば、前記軸の方形断面に係合する方形駆動通路によって、前記施錠装置のハンドルは、ラッチ軸の隣接端に嵌め込まれるように設計されていることが考えられる。そして、扉の反対面においてラッチ軸に係合するためのハンドルが駆動通路を有したものであり、当該駆動通路は、前記ハンドルをラッチ軸に対し、所定の円弧運動を経て反対方向に回転させるものである。この場合において、当該ラッチ機構はまた、ハンドルがその静止位置から係止位置に回転されるときに、施錠装置のハンドルとともに前記ラッチ軸が回転できるようにすべきである。これは、従来のラッチ機構で容易に達成されているものであり、当該ラッチ機構においては、ラッチボルトを制御するカムの配置は変更できるように設計されており、これによりラッチボルトを後退させるための移動方向を逆にできる。
【００１４】
したがって、本発明はまた、ラッチ機構のラッチボルトをそのラッチ位置から移動させるべく、ラッチ軸が回転可能であるラッチ機構のための施錠装置であって、前記施錠装置が、ラッチ軸を回転させ、ラッチ軸の隣接端に固定するために回転可能なハンドルと、前記ハンドルに取り付けられ、ハンドルを回転させないように、ハンドルの係止位置において協働する保持手段に係合可能な係止部材と、さらにラッチ軸とを備えるものである。ここで、前記係止部材は、案内手段と操作手段に係合可能であり、前記案内手段がハンドルを静止位置から回転させ、ラッチボルトをそのラッチ位置から移動させる係止部材の円弧運動の範囲を定める係止位置から離間し、前記操作手段はハンドルが静止位置から係止位置に回転され、係止部材が保持手段に係合可能になるように、前記係止部材を操作するものである。
【発明を実施するための最良の形態】
【００１５】
本発明をより詳述するために添付の図面に従って説明する。
【００１６】
図１から図７に示されている施錠装置は、扉の表面と裏面の間において、扉本体内に取り付けられる扉ラッチのラッチ軸とともに使用するために設計されたものである。そのラッチ軸は、方形断面を有し、前記扉の両面から突出している。通常の扉ハンドルあるいは図８、９及び１０に示されている扉ハンドルは、その扉の一面、つまり通常は外側で前記ラッチ軸の端部に固定され、前記ラッチボルトを後退させるように一方向に回転するようにしている。当該施錠装置は前記扉の内側にあるラッチ軸の端部に嵌め込まれ、扉は施錠装置側から施錠される。従来と同様、ラッチはバネ式ラッチボルトを有しており、このラッチボルトは、扉を閉鎖位置においてラッチ止めするようその進出位置に弾圧付勢し、隣接する扉枠に設けられたキャッチに嵌合する。ラッチ軸は、従前の機構によりラッチボルトに連結されている。この機構により、ラッチボルトはラッチケーシング内に引っ込んだり、後退して、係合している扉のキャッチからそのラッチボルトから外れる。これにより、ラッチ軸の回転に応じて開扉を可能にする。
【００１７】
図１から図７を参照すると、施錠装置１は、鋳物基板２を備えており、当該基板２は、扉に隣接する側に施錠装置の構成要素を収容するための収容凹部３と、その外部に突出した円形の隆起部４とを有する。隆起部上には、扉ハンドル５が回転可能に設けられており、当該ハンドル５は本体部６を有している。この本体部６は、隣接する前記隆起部と同径である一端部７を有し、他端部において隆起部４の軸線に略垂直に延伸するレバー部８に連なるように好適にアールがつけられている。前記ハンドルは、当該ハンドル５の隣接端部７から突出し、隆起部４にある協働する開口部１０に回動可能に嵌合されるスタブシャフト９（図４参照）によって、隆起部４に回転可能に設けられている。専用ワッシャ１１は、前記隆起部とハンドルの端部７との間において、スタブシャフト９の周囲に配置され、カム１２は基板２の収容凹部３内に突出しているスタブシャフトの端部に係合している。ハンドルは半円形のワッシャ１３によって基板の所定位置に回転可能に固定されている。この半円形のワッシャ１３はカムの内部でスタブシャフトの突出端の溝１４に嵌合されている。半円形のワッシャ１３の自由端はカム１２の隣接面内のＶ字型の切り欠き部１２ａに係合している。ワッシャ１１は等間隔に配置され、ハンドルの本体部６の隣接端部に設けた嵌合孔１５ａに嵌合する３つの小さな突部１５を有している。従って、ワッシャ１１はハンドルとともに回転可能となる。
【００１８】
基板の収容凹部３内に突出しているスタブシャフト９の端部には、ハンドルのレバー部８が延出している方向に平行な対向する平面１６が形成されている。そして、カム１２には、ハンドルに併せてカムが回転するように、係合面１７が形成されている（図５及び図６参照）。カムの外周にはカムの内周にある平面１７に対し平行をなす平面１８が設けられ、円形部１９によって相互に接続されている。従って、カムの外周は略楕円形状をなしている。カセット２１内に収納されている３つの圧縮バネ２０からなる列が、カムの外周に設けられた対向する平面１８に作用する。このカセット２１は基板の収容凹部３内に着脱可能に収容されている。このバネカセットは扉ハンドル製品に一般的に使用されている装置であり、基板内部のスタブシャフト９の近傍に取り付けられるものである。バネ２０の各列は、カセットの案内溝２３の対向する端にスライド可能に案内される棒状の伴板２２を介して、隣接する平面１８に作用する。バネ式伴板２２は、ハンドルレバー部８が略水平である静止位置になるようハンドルを弾圧付勢すべく、平面１８に作用する。
【００１９】
ハンドル５は、隠し駆動通路２４を有しており、ラッチ軸の隣接している突出端に嵌め込まれる。この駆動通路２４は、スタブシャフトの内側端部からハンドルの本体部６内にスタブシャフト９と同軸上に延びている。この駆動通路は特定の内部側面を有している。この駆動通路には軸方向に溝が設けられ、４つのリブ部２５及び４つの溝２６からなるものである。このリブ及び溝は、ハンドルがラッチ軸に係合するときに、ハンドルがラッチ軸に対して相対的に所定の回転自由度を有するようにするために、駆動通路の周囲に等間隔に離間し配置されている。各溝２６の底部は、断面図において、アーチ状側面を有した切断面を有している。そして、この側面はラッチ軸の係合端の方形断面の対角線の長さに実質的に一致している。その結果、ハンドルは、ラッチ軸に対して相対的に、所定の運動円弧を経て反対方向に回転可能であり、その円弧の対向端でリブ２５は方形断面のラッチ軸に係合する。
【００２０】
係止部材すなわち円形断面のロッド２７は、ハンドルの軸線に対し平行な軸に沿ってスライド可能にハンドルの本体部に搭載されている。係止部材はワッシャ１１にある係合孔を通って延伸し、その係止部材の突出端は半円状の溝２８に係合する。この半円状の溝２８は、基板の隆起部４の隣接面に形成され（図７参照）、スタブシャフト９の軸と実質的に同軸である。係止部材はハンドルの本体部６に収容され、係止部材の対向端に作用する圧縮バネ２９によって、前記溝２８に係合するように弾圧付勢される。該係止部材はトリガー部３０により制御される。トリガー部材３０は係止部材と一体であり、本体部６にある軸方向の溝３１から突出していて、レバー部を把持した人間による手操作しやすい位置でハンドルのレバー部８に並列に延びている。本体部６の溝３１はレバー部８の溝３２に連続し、トリガー部３０はハンドルを把持する人によって押圧されると、溝３２に入り込み、係止部材を後退させる。
【００２１】
ハンドル５を回転しないようにロックするために、ハンドルに隣接する隆起部４の表面には、半円状の溝２８の両端の上部に、係止部材２７により嵌合可能な２つの保持孔３３、３４が形成されている。溝２８の両端上方の前記保持孔間のアーチ状の距離と、縦溝彫りの駆動通路２４にある各溝２６のアーチ状底部により範囲が定められる角度は、扉を開くために、付属のラッチボルトを充分に後退させられるように、ハンドルが回転される角度によって定まる。本実施形態においては、その角度は約４５度に図示されている。しかしながら、いずれか一方の扉ハンドルを回転させてラッチボルトを適切に後退させられれば、この角度を例えば６０度に増やしても構わない。
【００２２】
係合しているラッチ軸を回転させ、ラッチボルトを後退させるためにハンドルが回転すべき移動角度は、アーチ状の溝２８によって定まる。係止部材２７が溝２８のいずれか一方の端に位置するときに、トリガー部３０を押圧することによって、係止部材２７は選択的に保持孔３３、３４に嵌合される。これにより、係止部材の突出端は溝２８から後退し、ハンドルはその溝の両端を超えて上方に回転し、いずれかの孔３３、３４に係合される。
【００２３】
基板２は貫通孔３５を有しており、この貫通孔３５により施錠装置１は扉の片面に固定され、扉の反対側から開けることができないように施錠できる。通常、この施錠装置は扉の内側取り付けられることが多いであろう。これに対して、扉の外側に取り付けるハンドルに関しては、ラッチ機構を作動させるものであれば、どのようなものであっても構わない。そして、そのラッチ機構は、ラッチ軸を回転可能にするために方形断面のラッチ軸の隣接端に嵌め込まれる方形断面の駆動通路を有している。施錠装置１は貫通孔３５に挿入されたネジによって扉の内側に固定されるが、ここで、ハンドル内部にある駆動通路はラッチ軸の端部に隣接している。施錠装置は扉に固定されており、ラッチボルトが飛び出しているとき、つまり係止位置にあるときは、ハンドルレバー８は水平な静止位置にある。ハンドルが静止位置にあるときには、ハンドルレバーはカム１２に作用するバネ２０によって付勢され、係止部材２７は溝２８の一端と接触し、ラッチ軸の方形断面（部）は縦溝彫りの通路２４の軸方向のリブ２５に係合している。ハンドルが静止位置にあるときに、係止部材が溝２８のどちらの端部に係合されるかは、ラッチボルトを後退させるためにハンドルレバー８が時計回り又は反時計回りに下方へ移動され、基板２の右手、左手のいずれに係合しているかによる。どちらの場合であっても、ラッチ軸に係合している縦溝彫りの通路２４のリブ２５が、静止位置にある状態でハンドルを下方へ動かすことにより、ラッチボルトを後退させ、ラッチ固定された扉を開く方向にラッチ軸は回転する。
【００２４】
縦溝彫りの通路２４により、ハンドル５が所定の円弧運動を経て、ラッチ軸に対して反対方向に自由運動又は自由回転できるようになる。これにより、トリガー部３０を押圧し係止部材２７を溝２８から後退させた後、ハンドルがラッチ軸に係合している状態である静止位置から、反対方向に回転される。したがって、右方向、左方向に関係なく、ハンドルはその後上方に回転され、係止部材は隣接した保持孔３３、３４に嵌合される。このような位置にあれば、ハンドル内の縦溝彫りの通路のリブ２５はラッチ軸に係合し、扉の外側にあるハンドルにより、ラッチボルトが後退する方向へ回転できないようになる。したがってその扉は、係止部材のトリガー部３０を単に押圧し、係止部材を溝２８の端を越えて移動させることによって、又、係止部材を隣接する保持孔に嵌合させることによって、外部からの進入を防ぐべく内側から施錠できる。ハンドルをその静止位置に戻し扉を開錠するには、ハンドルレバーを持ち上げ、トリガー部は係止部材を施錠孔から引き抜くべく再度押圧すればよい。その後、バネ２０がカム１２に付勢し、ハンドルはその静止位置に戻される。
【００２５】
図８、９及び１０は、図１〜図７に示される施錠装置１とともに、扉の反対側あるいは外側で用いられるハンドル機構４０を示している。このハンドル機構は、ハンドル５が、ラッチ軸の隣接端を嵌め込むための方形断面の駆動通路４２を有することと、係止部材２７の代わりにハンドルの本体部６から突出している係止ピン４３を有することとを除いては、前記施錠装置１と同様である。なお、この係止ピンは、ワッシャ１１の孔を通り、隆起部４の隣接面にある半円状の溝２８に嵌合する。係止ピン及び溝により、ハンドルは約１８０度の下向き円弧内でのみ回転ができ、ハンドルが溝の端を超えて持ち上げられることを防ぐ。このハンドル機構の構造により、前記施錠装置と同様に、ハンドルのレバー部８を右方向又は左方向へ選択的に操作できる。その結果、レバー部は、静止位置から基板２の前述の選択された側に水平に突出することになる。
【００２６】
施錠装置１及びハンドル機構４０が対で使用され、右手操作もしくは左手操作が選択可能である場合、その対は２つのラッチ軸を有していてもよい。そのうちの１つは従来の方形断面のラッチ軸であり、もう１つは、図１１及び図１２に示すように、２つの部材からなるラッチ軸５０である。前記ラッチ軸５０の部材５１、５２は方形断面からなるが、部材５１は、部材５２に対して４５度捩られて配置される。これは、ハンドル５が反対方向に動作するときに、自由運動に対応する位置において、施錠装置の駆動通路内の縦溝彫りの形状の変化を許容（可能に）するためである。
【００２７】
図１〜図７の施錠装置とともに用いられる外側のハンドルは、例えば浴室の扉のように外部からの開扉が必要な場面に備え、非常用解除機能を備えていても良い。図１３に示すように、これは、外側のハンドル機構を、駆動通路６０が方形断面であることを除いて、施錠装置１と全く同じ構造にすることによりなしえる。内側に設置された施錠装置のハンドル５が施錠されたときには、前述したように、外側のハンドルが、ラッチ機構を解除するために、下方へ動かされることはない。非常時には、外側に設置されたハンドルを押圧し、係合している溝２８から係止部材２７を引き抜くことができる。これにより、外側のハンドルを自由に操作することができる。その後、外側のハンドルを上方へ移動させると、ラッチ軸が回転し、ラッチボルトが後退し、そして扉が解錠される。外側の係止部材が係合する保持孔３３、３４に嵌合すると、外側のハンドルは動かない。それにより、外側のトリガー部３０を動かすことによってそのハンドルが解除され、水平の静止位置に戻るまでは、ラッチボルトは確実に引っ込んだままでいる。
【００２８】
図１４及び図１５は、スライド式のテラス扉とともに用いた場合の本発明の実施形態を示している。ここで、扉の両側に設けられたハンドルは水平位置から４５度まで持ち上げられ、ボルトとラッチとの対が扉の枠組みから突き出て、扉枠に嵌合する。本実施形態では、半円状の案内溝２８を有しないことと、ハンドル軸の軸線上方４５度〜６０度の位置に配置された係止部材２７が係合する２つの施錠あるいは保持孔の代わりに、１つの施錠孔がハンドル軸の垂直上方において基板の隆起部４内に配置されていることを除いては、図１〜図７を参照して記載されたものと同様の構造からなる。この施錠孔はアーチ形のスロット７０の形状で、約１０度の角度有するものとする。係止部材２７の突出端は、施錠スロット７０に嵌合されるまで、通常、基板の隆起部４の隣接面に対してスライド移動する。この実施形態の動作は、以下のとおりである。内部ハンドル５を４５度まで持ち上げることにより、その内部ハンドル５内の縦溝彫りの通路２４により定められるフリーホイール形状が利用され、そしてその動力がラッチ軸に伝達される。その後、ハンドルを９０度の位置まで回転させることにより、係止部材が施錠スロット７０内に嵌合し、その結果、扉は、外部のハンドルが４５度の位置に持ち上げられた状態で固定される。したがってハンドルが４５度の位置にあることは、扉が本締まりされていることを示していることになり。
【００２９】
図１６〜図１９に示されている実施形態においては、施錠装置（図１６及び図１７）のハンドル５は、前記実施形態の縦溝彫りの通路の代わりに、ラッチ軸の隣接端に嵌め込むための方形の駆動通路８０を有している。そのほかの点では、この施錠装置の構成は前述した実施形態と同様である。図１８及び図１９に示されているように、扉の反対側あるいは外側において図１６及び図１７の施錠装置とともに使用するハンドル機構８１は、係止部材２７、半円状の案内溝２８及び保持孔３３、３４が省略されていることを除けば、前記施錠装置と同様である。従って、該ハンドル機構８１の側には如何なる制約もないので、そのハンドル５は３６０度自由に回転可能となる。当該施錠装置の側において、係止部材２７のトリガー部３０が押圧され、施錠装置のハンドル５が４５度まで持ち上げらると、方形のラッチ軸は回転し、扉の裏側のハンドルが持ち上がる。ラッチ機構の回転によりラッチを固定するラッチ機構のカムが操作される。係止部材が関連する保持孔３３、３４に嵌合すると、扉は施錠され、外側に設けられた機構８１のハンドル５は扉を開けるために回転されることはない。
【図面の簡単な説明】
【００３０】
【図１】通常の使用位置が示されたハンドルを有する、本発明を具現化している扉の施錠装置の正面図である。
【図２】前記施錠装置の説明を容易にするために、ハンドルが垂直下方へ位置した図１の施錠装置の側面図である。
【図３】図１に示された施錠装置の背面図である。
【図４】図１の扉の施錠機構の主要構成要素の詳細を示す図である。
【図５】図１の扉の施錠機構の主要構成要素の詳細を示す図である。
【図６】図１の扉の施錠機構の主要構成要素の詳細を示す図である。
【図７】図１の扉の施錠機構の主要構成要素の詳細を示す図である。
【図８】図１から図７の扉の施錠装置が固定された扉の方面上において、使用されるハンドル機構の正面図である。
【図９】図１から図７の扉の施錠装置が固定された扉の裏面上において、使用されるハンドル機構の背面図である。
【図１０】施錠装置の説明を容易にするために、ハンドルが垂直下方へ位置した、図８及び図９のハンドル機構の側面図である。
【図１１】図１〜７の施錠装置並びに図８、９及び１０のハンドル機構とともに用いられるために設計されたラッチ軸の側面図である。
【図１２】図１〜７の施錠装置並びに図８、９及び１０のハンドル機構とともに用いられるために設計されたラッチ軸の端面図である。
【図１３】その他の実施形態における外側のハンドル機構の背面図である。
【図１４】本発明のさらにその他の実施形態の背面図である。
【図１５】本発明のさらにその他の実施形態の側面図である。
【図１６】本発明のさらにその他の実施形態の正面図である。
【図１７】本発明のさらにその他の実施形態の背面図である。
【図１８】図１６及び図１７の扉の施錠装置とともに、その内部に嵌め込まれた扉の方面上において、使用されるハンドル機構の正面図である。
【図１９】図１６及び図１７の扉の施錠装置とともに、その内部に嵌め込まれた扉の裏面上において、使用されるハンドル機構の背面図である。
【符号の説明】
【００３１】
１・・・施錠装置
５・・・ハンドル
２４・・・駆動通路
２７・・・係止部材
３３，３４・・・保持手段
３０・・・操作手段
２８・・・案内手段（アーチ状の溝）
８・・・レバーアーム
２・・・基板
２５・・・リブ
２６・・・溝
４２・・・駆動通路
５０・・・ラッチ軸
【図１】
2005533205.tif 000003
【図１１】
2005533205.tif 000004
【図１２】
2005533205.tif 000005
【図２】
2005533205.tif 000006
【図３】
2005533205.tif 000007
【図４】
2005533205.tif 000008
【図７】
2005533205.tif 000009
【図５】
2005533205.tif 000010
【図６】
2005533205.tif 000011
【図８】
2005533205.tif 000012
【図９】
2005533205.tif 000013
【図１０】
2005533205.tif 000014
【図１３】
2005533205.tif 000015
【図１４】
2005533205.tif 000016
【図１５】
2005533205.tif 000017
【図１６】
2005533205.tif 000018
【図１７】
2005533205.tif 000019
【図１８】
2005533205.tif 000020
【図１９】
2005533205.tif 000021
【国際調査報告】
2005533205.tif 000022
2005533205.tif 000023
2005533205.tif 000024